(57)【要約】【課題】  弦の張力が響板に作用することによる響板の局所的なひずみを抑制し、それにより、豊かな音量と良好な音質を安定して得ることができるグランドピアノの連結機構を提供する。【解決手段】  複数の支柱７とフレーム１１を連結するためのグランドピアノの連結機構１であって、複数の支柱７の前面が当接する支柱当接部４と、複数の支柱７の前端部にねじ止めされた支柱取付部３と、支柱取付部３から前方へ延びるとともに、前端部にボルト螺合部５ａが形成された連結部５と、を有するとともに、奥框８、中框９および打ち廻し１０に対して非連結状態で設けられた連結部材２と、連結部材２のボルト螺合部５ａに進退自在にねじ込まれ、フレーム１１に当接することにより複数の支柱７とフレーム１１を連結する連結ボルト６と、を備える。【選択図】  図２
2005156640.tif 000002
【特許請求の範囲】
【請求項１】
前後方向に延びる複数の支柱の前方に配置され且つ互いに順に連結された奥框、中框および打ち廻しを有し、フレームに張られた弦の打弦に伴って振動する響板が前記打ち廻しの上面に設けられたグランドピアノにおいて、前記複数の支柱と前記フレームを連結するためのグランドピアノの連結機構であって、
前記複数の支柱の前面が当接する支柱当接部と、
前記複数の支柱の前端部にねじ止めされた支柱取付部と、
当該支柱取付部から前方へ延びるとともに、前端部にボルト螺合部が形成された連結部と、を有するとともに、前記奥框、前記中框および前記打ち廻しに対して非連結状態で設けられた連結部材と、
前記連結部材の前記ボルト螺合部に進退自在にねじ込まれ、前記フレームに当接することにより前記複数の支柱と前記フレームを連結する連結ボルトと、
を備えることを特徴とするグランドピアノの連結機構。
【請求項２】
前記打ち廻しは、前後方向に延びる貫通孔を有し、前記連結部材の前記連結部は、前記打ち廻しに対して非接触の状態で前記貫通孔に通され、前方に延びていることを特徴とする、請求項１に記載のグランドピアノの連結機構。
【請求項３】
前記連結部材は、当該連結部材の前記支柱当接部と前記奥框との間に前後方向に間隔を隔てた状態で配置されていることを特徴とする、請求項１または２に記載のグランドピアノの連結機構。  
【請求項４】
前記連結部材の前記連結部は、複数の連結部で構成されていることを特徴とする、請求項１ないし３のいずれかに記載のグランドピアノの連結機構。
【請求項５】
前記連結部材の前記支柱取付部は、前記複数の支柱の上面にねじ止めされていることを特徴とする、請求項１ないし４のいずれかに記載のグランドピアノの連結機構。
【発明の詳細な説明】
【技術分野】
【０００１】
本発明は、弦の張力を支持するために、支柱とフレームを連結するのに用いられるグランドピアノの連結機構に関する。
【背景技術】
【０００２】
従来のこの種のグランドピアノの連結機構として、例えば特許文献１に開示されたものが知られている。図５および６に示すように、この連結機構５１は、取り付け板状部５２ａ、およびその上面に形成された連結ロッド部５２ｂを一体に有するコレクタ５２と、中框５７および打ち廻し５８の前面に設けられた連結金具５３と、コレクタ５２と連結金具５３を連結するボルト５４などを備えている。取り付け板状部５２ａには、ねじ止め用の複数の孔５２ｃが形成されている。連結ロッド部５２ｂは、取り付け板状部５２ａの上面の中央部から前方に突出し、その前端部にはねじ孔５２ｄが形成されている。
【０００３】
支柱５５は、４本の木製の支柱５５で構成され、それぞれの後端部が積揚（図示せず）の互いに異なる位置に固定されるとともに、前端部が奥框５６に集結され、その前面が奥框５６の背面に当接している。コレクタ５２は、連結ロッド５２ｂの前端部が中框５７の上面前部に設けられた打ち廻し５８に貫通した状態で、取り付け板状部５２ａの孔５２ｃに通した複数のねじ５９によって、支柱５５、奥框５６および中框５７の上面に固定されている。連結金具５３は、逆Ｔ字状に形成されており、その下半部に形成された複数の孔５３ｂに通したねじ６０，６０によって、中框５７の前面に固定されている。また、連結金具５３の上半部には、ボルト貫通孔５３ａが形成されており、このボルト貫通孔５３ａにボルト５４が通されている。そして、連結ロッド部５２ｂのねじ孔５２ｄに、ワッシャ６１およびナット６２を介してボルト５４をねじ込むことにより、連結金具５３の上半部がナット６２と打ち廻し５８および連結ロッド部５２ｂとの間に挟持されるとともに、ボルト５４の頭部がフレーム６３の顎６３ａに強く押圧された状態で、ボルト５４が固定されている。これにより、フレーム６３、支柱５５、奥框５６、中框５７および打ち廻し５８が、コレクタ５２や連結金具５３などを介して互いに強固に連結されている。
【０００４】
以上のように、フレーム６３が、連結機構５１を介して、支柱５５に連結されることによって、フレーム６３に作用する弦（図示せず）の大きな張力が、フレーム６３と支柱５５、奥框５６や中框５７などとの協働によって十分に支持される。
【０００５】
しかし、従来の連結機構５１では、上述したように、フレーム６３が、コレクタ５２や連結金具５３などを介して、支柱５５だけでなく、奥框５６、中框５７および打ち廻し５８にも強固に連結されている。このため、弦の大きな張力が、フレーム６３から奥框５６、中框５７や打ち廻し５８に伝達される。また、打ち廻し５８には、響板（図示せず）が直接、接着されている。したがって、上述したような弦の大きな張力が、打ち廻し５８を介して響板にも作用し、その結果、響板にひずみが生じてしまう。
【０００６】
図７は、このような響板への弦の張力の影響を確認するために、従来のグランドピアノにおいて、弦を張った状態で響板のひずみを測定した結果を表すものである。同図に示すように、響板のひずみは、響板の前側中央の領域Ａが最も大きく、それを取り囲む領域Ｂが次に大きい。これは、連結機構５１が設けられる部分に弦の張力が集中して作用するためである。
【０００７】
このように、打ち廻し５８に大きな張力が作用することによって、響板に局所的なひずみが生じると、響板の自由振動が阻害され、音が響きにくくなることによって、音量が低下してしまう。また、音の伸びや張りが不足することによって、音質の悪化を招いてしまう。
【０００８】
本発明は、このような課題を解決するためになされたものであり、弦の張力が響板に作用することによる響板の局所的なひずみを抑制し、それにより、豊かな音量と良好な音質を安定して得ることができるグランドピアノの連結機構を提供することを目的とする。
【０００９】
【特許文献１】特開平１１−２１２５４２号公報
【発明の開示】
【課題を解決するための手段】
【００１０】
この目的を達成するために、請求項１に係る発明は、前後方向に延びる複数の支柱の前方に配置され且つ互いに順に連結された奥框、中框および打ち廻しを有し、フレームに張られた弦の打弦に伴って振動する響板が打ち廻しの上面に設けられたグランドピアノにおいて、複数の支柱とフレームを連結するためのグランドピアノの連結機構であって、複数の支柱の前面が当接する支柱当接部と、複数の支柱の前端部にねじ止めされた支柱取付部と、支柱取付部から前方へ延びるとともに、前端部にボルト螺合部が形成された連結部と、を有するとともに、奥框、中框および打ち廻しに対して非連結状態で設けられた連結部材と、連結部材のボルト螺合部に進退自在にねじ込まれ、フレームに当接することにより複数の支柱とフレームを連結する連結ボルトと、を備えることを特徴とする。
【００１１】
この構成によれば、複数の支柱に連結部材の支柱取付部がねじ止めされるとともに、連結部材のボルト螺合部にねじ込まれた連結ボルトがフレームに当接することによって、複数の支柱とフレームが互いに連結されている。したがって、フレームに張られた弦の張力を、フレームとこれに連結機構を介して連結された複数の支柱との協働によって、十分に支持することができる。さらに、連結部材は、奥框、中框および打ち廻しに対しては非連結状態で設けられているので、フレームに作用する弦の張力が、打ち廻しを介して響板に作用するのを防止でき、それによる響板の局所的なひずみを抑制することができる。その結果、響板の自由振動を良好に維持することによって、豊かな音量と良好な音質を安定して得ることができる。
【００１２】
請求項２に係る発明は、請求項１に記載のグランドピアノの連結機構において、打ち廻しは、前後方向に延びる貫通孔を有し、連結部材の連結部は、打ち廻しに対して非接触の状態で貫通孔に通され、前方に延びていることを特徴とする。
【００１３】
この構成によれば、連結部材の連結部が、打ち廻しに対して非接触の状態で貫通孔に通されているので、弦の張力が連結機構を介して打ち廻しに直接、伝達されるのを確実に防止でき、それによる響板のひずみを抑制することができる。
【００１４】
請求項３に係る発明は、請求項１または２に記載のグランドピアノの連結機構において、連結部材は、連結部材の支柱当接部と奥框との間に前後方向に間隔を隔てた状態で配置されていることを特徴とする。
【００１５】
この構成によれば、連結部材は、その支柱当接部と奥框との間に前後方向に間隔を隔てた状態で配置されているので、弦の張力が、複数の支柱から連結機構を介して奥框に伝達されるのを確実に防止することができる。その結果、弦の張力が、奥框、およびこれに順に連結された中框および打ち廻しに伝達されるのを確実に防止でき、それによる響板のひずみを抑制することができる。
【００１６】
請求項４に係る発明は、請求項１ないし３のいずれかに記載のグランドピアノの連結機構において、連結部材の連結部は、複数の連結部で構成されていることを特徴とする。
【００１７】
この構成によれば、連結部材の連結部が複数の連結部で構成されるので、弦の張力を、複数の支柱に分散させながらバランス良く支持することができる。
【００１８】
請求項５に係る発明は、請求項１ないし４のいずれかに記載のグランドピアノの連結機構において、連結部材の支柱取付部は、複数の支柱の上面にねじ止めされていることを特徴とする。
【００１９】
この構成によれば、連結部材の支柱取付部が、複数の支柱の上面にねじ止めされるので、ねじを上方から締め付けるだけで、連結部材を支柱に容易に取り付けることができる。
【図面の簡単な説明】
【００２０】
【図１】本発明の実施形態によるグランドピアノの連結機構によって支柱とフレームを連結した状態を示す部分拡大平面図である。
【図２】図１に対応するとともに、響板を取り付け且つ積揚を取り除いた状態の側面図である。
【図３】図１の連結機構を取り付けた平面図である。
【図４】図２のIV−IV線に沿う断面図である。
【図５】従来のグランドピアノの連結機構によってフレームと支柱などを連結した状態を示す部分拡大平面図である。
【図６】図５に対応する側面図である。
【図７】従来の連結機構を用いた場合の響板のひずみの分布の一例を示す図である。
【発明を実施するための最良の形態】
【００２１】
以下、図面を参照しながら、本発明の好ましい実施形態を、詳細に説明する。なお、以下の説明では、グランドピアノを演奏者から見た場合の手前側（図３の下側）を「前」、奥側（図３の上側）を「後」として、説明を行うものとする。まず、図１〜３を参照しながら、連結機構１の構成について説明する。これらの図に示すように、連結機構１は、連結部材２および連結ボルト６などで構成されている。
【００２２】
連結部材２は、プレス加工された鉄や鋳物などの金属で構成されており、支柱取付部３と、その前端部から垂直下方に延びる支柱当接部４と、支柱取付部３の前面から前方へ延びる複数（本例では４つ）の連結部５などを一体に備えている。
【００２３】
支柱取付部３は、積揚１３の前部の左右端部間に左右方向に連続的に延びる細長い板状のものであり、所定の前後方向の幅および厚さを有している。支柱取付部３の所定の位置には、ねじ止め用の複数の孔３ａが形成されている。支柱当接部４は、支柱取付部３の左右方向の全体にわたって設けられており、所定の前後方向の厚さを有するとともに、支柱７を越えて棚板１８付近まで下方に延びている。支柱当接部４の左右の側面には、ボルト１７をねじ込むための上下２つのねじ穴４ａが形成されている。４つの連結部５は、左右方向に間隔を隔てた所定の位置に設けられている。また、各連結部５は、矩形状の断面を有し、その前端部にはボルト螺合部５ａが前後方向に延びるように形成されている。
【００２４】
支柱７は、複数、例えば５本の木製の支柱７で構成されている。図３に示すように、これらの支柱７は、前後方向に延びており、それぞれの後端部がグランドピアノの外形を有する積揚１３の互いに異なる位置にねじ（図示せず）などで固定されている。積揚１３の所定の位置には、側方に貫通するボルト孔１３ａが形成されており、このボルト孔１３ａにボルト１７が通されている。また、支柱７の前方には、奥框８、中框９および打ち廻し１０が設けられている。これらの奥框８、中框９および打ち廻し１０は、それぞれ木製の角材で構成され、積揚１３の前部の左右端部間に渡されている。奥框８は、支柱７の前方に前後方向に所定の間隔を隔てて配置されるとともに、奥框８には棚上付物１９を介して棚板１８が取り付けられている。中框９は、奥框８の前面上部に上面が面一の状態で連結され、さらに、打ち廻し１０は、中框９の上面前部に載置された状態でこれに連結されている。
【００２５】
打ち廻し１０には、連結部材２の連結部５に対応する位置に、前後方向に貫通する４つの貫通孔１０ａが形成されている。各貫通孔１０ａは、連結部材２の連結部５の形状に対応して矩形状に形成されるとともに、連結部５よりも若干大きな幅および高さを有している。また、打ち廻し１０の上面には、響板１２の前端部が載置されており、響板１２の前端部を除く周縁部は、積揚１３上に載置されている。
【００２６】
この響板１２の上方には、フレーム１１が設けられている。フレーム１１は、鋳物製のもので構成されている。フレーム１１には、その前端部および後端部に多数のチューニングピンおよびヒッチピン（ともに図示せず）が打ち込まれており、これらのチューニングピンとヒッチピンの間に、弦（図示せず）が前後方向に延びるように張られている。また、響板１２の上面には駒（図示せず）が設けられ、この駒の駒ピン（図示せず）に弦が係合していて、鍵の押鍵に伴いハンマー（ともに図示せず）が弦を打弦するのに伴って弦が振動し、この弦の振動が響板１２に伝達されることによって、ピアノ音が発生する。また、フレーム１１の所定の位置には、連結部材２の連結部５にそれぞれ対応する位置に、下方に延びる４つの顎部１１ａ（１つのみ図示）が設けられている。
【００２７】
連結機構１の連結部材２は、その支柱当接部４の背面が支柱７の前面に当接した状態で、支柱取付部３の孔３ａに通した複数のねじ１４によって、各支柱７の上面に固定されている。この状態では、図４に示すように、連結部材２の連結部５が、打ち廻し１０の貫通孔１０ａの内面との間に間隔Ｇ１を隔てて非接触の状態で通され、打ち廻し１０から前方に突出している。また、連結部材２の支柱当接部４と奥框８との間には、前後方向に間隔Ｇ２（図２参照）が形成されている。
【００２８】
また、連結ボルト６を、各連結部５のボルト螺合部５ａにワッシャ１５およびロックナット１６を介してねじ込むとともに、フレーム１１側に回すことによって、連結ボルト６は、フレーム１１の顎部１１ａに強く押圧された状態で当接している。これにより、フレーム１１と支柱７が、連結機構１を介して互いに強固に連結されている。なお、ロックナット１６は、連結ボルト６をフレーム１１の顎部１１ａに当接させた後に連結部５に対して締め付けられ、それにより、連結ボルト６の緩みが防止される。また、連結機構１の連結部材２は、積揚１３のボルト孔１３ａに通した複数のボルト１７を支柱当接部４のねじ穴４ａにねじ込むことによって、積揚１３に固定されている。なお、この連結部材２の積揚１３への固定は、フレーム１１に弦を張った後に行われる。これは、連結部材２の固定を張弦前に行うと、その後に張られる弦の張力によって響板１２に応力が発生し、余分なひずみが生じるおそれがあるので、これを防止するためである。
【００２９】
以上のように、本実施形態によれば、支柱７に連結部材２の支柱取付部３がねじ止めされるとともに、連結部材２のボルト螺合部５ａにねじ込まれた連結ボルト６がフレーム１１に当接することによって、支柱７とフレーム１１が互いに連結されている。したがって、フレーム１１に張られた弦の張力を、フレーム１１とこれに連結機構１を介して連結された５本の支柱７との協働によって、十分に支持することができる。
【００３０】
また、連結部材２の連結部５が、打ち廻し１０に形成された貫通孔１０ａに非接触の状態で通されているので、弦の張力が連結機構１を介して打ち廻し１０に直接、伝達されるのを確実に防止できる。また、連結部材２の支柱当接部４が、奥框８との間に前後方向に間隔Ｇ２を隔てた状態で配置されているので、弦の張力が、支柱７から連結機構１を介して奥框８に伝達されるのを確実に防止することができる。それにより、弦の張力が、奥框８、およびこれに連結された中框９を介して、打ち廻し１０に伝達されるのを確実に防止できる。以上により、弦の張力が打ち廻し１０を介して響板１２に作用するのを防止でき、それによる響板１２のひずみを抑制することができる。その結果、響板１２の自由振動を良好に維持することによって、豊かな音量と良好な音質を安定して得ることができる。
【００３１】
さらに、連結部材２の連結部５が複数の連結部５で構成されているので、弦の張力を、５本の支柱７に分散させながらバランス良く支持することができる。また、連結部材２の支柱取付部３が、支柱７の上面にねじ止めされているので、複数のねじ１４を上方から締め付けるだけで、連結部材２を支柱７に容易に取り付けることができる。  
【００３２】
なお、本発明は、説明した実施形態に限定されることなく、種々の態様で実施することができる。例えば、本実施形態では、連結部材２の連結部５を複数の連結部５で構成しているが、連結部５を従来と同様、単一のもので構成してもよい。その場合、打ち廻し１０の貫通孔１０ａ、フレーム１１の顎部１１ａ、および連結ボルト６は、連結部５に対応するように設けられる。また、実施形態では、連結部材２の支柱取付部３、支柱当接部４および連結部５は鉄や鋳物などで一体に形成しているが、これらの各部を構成する複数の部材を、それぞれ作製した後、溶接やねじ止めなどで互いに連結することによって形成してもよい。その他、本発明の趣旨の範囲内で、細部を適宜、変更することが可能である。
【符号の説明】
【００３３】
１  連結機構
２  連結部材
３  支柱取付部
４  支柱当接部
５  連結部
５ａ  ボルト螺合部
６  連結ボルト
７  支柱
８  奥框
９  中框
１０  打ち廻し
１０ａ  貫通孔
１１  フレーム
１２  響板
Ｇ１  連結部と貫通孔の内面との間の間隔
Ｇ２  支柱当接部と奥框との間の間隔
【図１】
2005156640.tif 000003
【図２】
2005156640.tif 000004
【図３】
2005156640.tif 000005
【図４】
2005156640.tif 000006
【図５】
2005156640.tif 000007
【図６】
2005156640.tif 000008
【図７】
2005156640.tif 000009